(57)【要約】【課題】挿入部の外径寸法に影響を与えることなく、信号ケーブルが伝送する電気信号をノイズから保護する。【解決手段】電子内視鏡１０の挿入部１３には、撮像信号を伝送する信号ケーブル３２と、電気メス３６が挿入される鉗子チャンネル３５と、ライトガイド３４を構成する複数の光ファイバ６５が並行して挿通されている。信号ケーブル３２の周囲は、光ファイバ６５に囲まれている。各光ファイバ６５の表面には、導電膜６６が形成されている。導電膜６６は、プロセッサ装置１１の筐体４１に接続されて、大地に接地されている。【選択図】図３
2010063529.tif 000002
【特許請求の範囲】
【請求項１】
先端側に撮像素子を設けた挿入部と、
前記挿入部に挿通され、その一端が前記撮像素子に接続された信号ケーブルと、
前記挿入部に挿通された鉗子チャンネルと、
前記挿入部に挿通され、前記信号ケーブルと前記鉗子チャンネルを隔てるように配置された複数の光ファイバを含む導光用のライトガイドと、
前記光ファイバの各々の表面に形成され、電気的に接地された導電膜と、
を備えたことを特徴とする電子内視鏡。
【請求項２】
前記導電膜は、前記撮像素子のグラウンド端子に接続されることを特徴とする請求項１記載の電子内視鏡。
【請求項３】
前記撮像素子は、前記信号ケーブルを介して画像処理装置に接続され、
前記導電膜は、前記画像処理装置の筐体のグラウンド端子に接続されることを特徴とする請求項１記載の電子内視鏡。
【請求項４】
前記ライトガイドは、光源装置に接続され、
前記導電膜は、前記光源装置の筐体のグラウンド端子に接続されることを特徴とする請求項１記載の電子内視鏡。
【請求項５】
前記導電膜と前記グラウンド端子の間にコンデンサを設けたことを特徴とする請求項２から４いずれか記載の電子内視鏡。
【請求項６】
前記光ファイバは、前記信号ケーブルを囲うように配置されることを特徴とする請求項１から５いずれか記載の電子内視鏡。
【請求項７】
前記光ファイバは、前記鉗子チャンネルを囲うように配置されることを特徴とする請求項１から５いずれか記載の電子内視鏡。
【請求項８】
前記光ファイバは、前記信号ケーブルと前記鉗子チャンネルの間に壁状に配置されることを特徴とする請求項１から５いずれか記載の電子内視鏡。
【請求項９】
前記信号ケーブルは、前記撮像素子が出力した撮像信号を伝送する画像用ケーブルと、前記撮像素子の動作を制御するための制御信号を伝送する制御用ケーブルと、前記撮像素子に電力を供給する電源用ケーブルのうちの少なくとも一つであることを特徴とする請求項１から８いずれか記載の電子内視鏡。
【請求項１０】
前記信号ケーブルは、一重シールド構造を有することを特徴とする請求項１から９いずれか記載の電子内視鏡。
【請求項１１】
請求項１から１０いずれか記載の電子内視鏡と、
前記電子内視鏡から出力された撮像信号に基づいて内視鏡画像を生成する画像処理装置と、
前記電子内視鏡に照明光を供給する光源装置と、
を備えたことを特徴とする内視鏡システム。
【発明の詳細な説明】
【技術分野】
【０００１】
本発明は、挿入部に導光用のライトガイドと鉗子チャンネルを備えた電子内視鏡、及び内視鏡システムに関するものである。
【背景技術】
【０００２】
近年、医療分野において、内視鏡システムが広く用いられている。内視鏡システムは、細長い挿入部の先端に撮像素子を備えた電子内視鏡と、この撮像素子から撮像信号を受信して内視鏡画像を生成する画像処理（プロセッサ）装置と、電子内視鏡に被写体を照らすための照明光を供給する光源装置とから構成されている。内視鏡システムを用いた診断では、電子内視鏡の挿入部を被検者の体内に挿入し、体内の患部を照明光で照らしながら撮像し、得られた内視鏡画像をモニタ等に表示する。
【０００３】
電子内視鏡の内部には、撮像素子とプロセッサ装置を接続する信号ケーブルが挿通されている。この信号ケーブルは、撮像素子からの撮像信号をプロセッサ装置に伝送するとともに、駆動制御のための制御信号をプロセッサ装置から撮像素子に伝送する。したがって、撮像素子とプロセッサ装置の誤動作を防いで、画質のよい内視鏡画像を得るためには、電子内視鏡の内部で信号ケーブルをノイズから保護する必要がある。
【０００４】
そこで、特許文献１記載の電子内視鏡装置では、信号ケーブルの外被に二重構造の電気的シールド体を設け、この電気的シールド体を光源装置のフレームグラウンドに接続している。光源装置のランプや点灯回路、あるいはプロセッサ装置の画像処理回路等で発生したノイズ電流は、電気的シールド体を通ってフレームグラウンドへ流れ込む。これにより、信号ケーブルで伝送される電気信号をノイズから保護している。
【特許文献１】特開平９−２６６８８６号公報
【発明の開示】
【発明が解決しようとする課題】
【０００５】
電子内視鏡の挿入部には、信号ケーブルの他に、照明光を導光するためのライトガイドや、処置具を体内に誘導するための鉗子チャンネル等が挿通されている。この鉗子チャンネルには、処置具として高周波ノイズを発生する電気メスが挿入されることがある。電子内視鏡の挿入部は、被検者の負担を軽減するため細径にされているので、信号ケーブルとライトガイドと鉗子チャンネルは、互いに近接して並行に配設される。したがって、電気メスを使用すると、電気メスの高周波ノイズが信号ケーブルを流れる電気信号に混入し、内視鏡画像の乱れやプロセッサ装置の誤動作を引き起こすという問題があった。
【０００６】
こうした挿入部におけるノイズの混入は、特許文献１の電気的シールド体によって防止できる。しかしながら、特許文献１の電子内視鏡装置では、電気的シールド体の厚み分だけ信号ケーブルの外径が太くなる。その結果、挿入部の外径寸法が大きくなり、電子内視鏡を体内に挿入する際に被検者の負担が増加するという別の問題を生じてしまう。
【０００７】
本発明は、上記問題点に鑑みてなされたものであり、その目的は、挿入部の外径寸法に影響を与えることなく、信号ケーブルが伝送する電気信号をノイズから保護することができる電子内視鏡、及び内視鏡システムを提供することにある。
【課題を解決するための手段】
【０００８】
上記目的を達成するために、本発明は、先端側に撮像素子を設けた挿入部を備え、この挿入部に、撮像素子に接続された信号ケーブルと、鉗子チャンネルと、複数の光ファイバからなる導光用のライトガイドを挿通した電子内視鏡であって、挿入部内で信号ケーブルと鉗子チャンネルを隔てるように光ファイバを配置し、各光ファイバの表面に、電気的に接地された導電膜を形成したことを特徴とする。
【０００９】
導電膜は、撮像素子のグラウンド端子に接続されることが好ましい。あるいは、信号ケーブルを介して撮像素子を画像処理装置に接続し、導電膜を画像処理装置の筐体のグラウンド端子に接続してもよい。更には、ライトガイドを光源装置に接続し、導電膜を光源装置の筐体のグラウンド端子に接続してもよい。いずれの場合も、導電膜とグラウンド端子の間にコンデンサを設けるとよい。
【００１０】
信号ケーブルは、撮像素子が出力した撮像信号を伝送する画像用ケーブルと、撮像素子の動作を制御するための制御信号を伝送する制御用ケーブルと、撮像素子に電力を供給する電源用ケーブルのうちの少なくとも一つであることが好ましい。また、信号ケーブルは、一重シールド構造を有することが好ましい。
【００１１】
本発明の好ましい実施形態では、光ファイバは、信号ケーブルを囲うように配置される。また、本発明の別の好ましい実施形態では、光ファイバは、鉗子チャンネルを囲うように配置される。本発明の更に別の好ましい実施形態では、光ファイバは、信号ケーブルと鉗子チャンネルの間に壁状に配置される。
【００１２】
本発明の内視鏡システムは、上記いずれかの電子内視鏡と、電子内視鏡からの撮像信号に基づいて内視鏡画像を生成する画像処理装置と、電子内視鏡に照明光を供給する光源装置とを備えたことを特徴とする。
【発明の効果】
【００１３】
本発明によれば、ライトガイドを構成する複数の光ファイバで信号ケーブルと鉗子チャンネルを隔て、各光ファイバの表面に電気的に接地された導電膜を形成したから、挿入部の外形寸法に影響を与えることなく、信号ケーブルが伝送する電気信号をノイズから保護することができる。
【００１４】
また、導電膜とグラウンド端子の間にコンデンサを設けたので、電気信号に大きく影響する高い周波数のノイズの交流成分を適切にグラウンド端子に落としながら、商用電源等の比較的低い周波数の交流成分や直流成分を遮断することができる。これにより、機器の故障などにより商用電源などの比較的低い周波数の交流成分や機器内の直流成分が仮に漏電しても被検者が感電することを防止することができ、ノイズ対策と安全対策を同時に得ることが可能となる。
【００１５】
更に、鉗子チャンネルの周囲を光ファイバで囲んだので、電気メス等の処置具から発生する高周波ノイズが鉗子チャンネルの外に放射することを防止できる。したがって、信号ケーブルのみならず、プロセッサ装置等の電子機器をもノイズから保護することができる。
【発明を実施するための最良の形態】
【００１６】
図１に示すように、内視鏡システム２は、被検者の体内（体腔内）の画像を撮像する電子内視鏡１０と、内視鏡画像を生成するプロセッサ装置１１と、体腔内を照明するための照明光を供給する光源装置１２とから構成されている。また、プロセッサ装置１１には、内視鏡画像を表示するためのモニタ２０が接続されている。
【００１７】
電子内視鏡１０は、体腔内に挿入される挿入部１３と、挿入部１３の基端側に連設された操作部１４と、操作部１４から延設されたユニバーサルコード１５とを備えている。挿入部１３は、細径で長尺の可撓管部１３ａと、複数の湾曲駒を連結した湾曲部１３ｂと、先端に位置する先端部１３ｃとから構成されている。先端部１３ｃは、硬質な金属材料等で形成され、体腔内の画像を撮像するためのＣＣＤ３０（図２参照）を内蔵する。
【００１８】
操作部１４は、鉗子口１７やアングルノブ１８等を備えている。鉗子口１７は、先端部１３ｃに形成された鉗子出口２７（図２参照）に連結されており、ここから処置具を挿入して体腔内に突出させる。アングルノブ１８は、挿入部１３内に挿設されたワイヤ（図示なし）を介して、湾曲部１３ｂに接続されている。アングルノブ１８を操作してワイヤを押し引きすることにより、湾曲部１３ｂは上下左右方向に湾曲動作する。これにより、先端部１３ｃを体内の所望の方向に向けることができる。
【００１９】
ユニバーサルコード１５は、その延出先端にコネクタ１９を備えている。コネクタ１９は、通信用コネクタ１９ａと光源用コネクタ１９ｂからなる複合タイプのコネクタであり、プロセッサ装置１１及び光源装置１２に着脱自在に接続される。
【００２０】
図２に示すように、電子内視鏡１０の先端面には、被写体の像光を取り入れるための観察窓２５と、照明光が照射される照明窓２６と、鉗子出口２７が形成されている。観察窓２５の奥には、対物光学系２８とプリズム２９が配置されている。プリズム２９の直下にはＣＣＤ３０が位置しており、ＣＣＤ３０は、回路基板３１に接続されている。対物光学系２８及びプリズム２９を通過した被写体光は、ＣＣＤ３０の受光面に入射する。ＣＣＤ３０は、この入射光に基づいた撮像信号を出力し、これを回路基板３１に入力する。
【００２１】
回路基板３１は、信号ケーブル３２を介して、プロセッサ装置１１のタイミング／ドライバ回路４２及びデジタル信号処理回路（ＤＳＰ）４３に接続されている。回路基板３１は、アナログ信号処理回路（図示なし）を備えている。アナログ信号処理回路は、ＣＣＤ３０から入力された撮像信号に対して相関二重サンプリング処理を施し、リセット雑音及びアンプ雑音を取り除く。そして、ノイズが除去された撮像信号を所定のゲイン（増幅率）で増幅した後、所定のビット数のデジタル信号に変換する。このデジタルの撮像信号は、信号ケーブル３２を介してプロセッサ装置１１のＤＳＰ４３に入力される。
【００２２】
照明窓２６の奥には、体腔内に向けて照明光を照射する照射レンズ３３が取り付けられている。照射レンズ３３は、ライトガイド３４の出射端に面している。ライトガイド３４は、石英等からなる複数（例えば、１００本）の光ファイバ６５（図３参照）から構成されている。このライトガイド３４は、挿入部１３、操作部１４、及びユニバーサルコード１５の内部を貫通し、その入射端が光源用コネクタ１９ｂの端部から露呈している。光源用コネクタ１９ｂを光源装置１２に接続すると、ライトガイド３４の入射端は光源装置１２の内部に挿入される。光源装置１２からの照明光は、このライトガイド３４によって先端部１３ｃまで導光され、照射レンズ３３及び照明窓２６から体腔内に照射される。
【００２３】
鉗子出口２７は、鉗子チャンネル３５を介して鉗子口１７に連結されている。鉗子チャンネル３５は、例えば樹脂性の円筒部材である。内視鏡検査下で患部を切開するような場合には、処置具である電気メス（高周波メス）３６が鉗子口１７から鉗子チャンネル３５に挿入される。電気メス３６を押し進めて鉗子出口２７から突出させ、高周波の電流（３００ｋＨｚ〜５００ｋＨｚ）を電気メス３６に印加する。この状態で電気メス３６を患部に接触させると、接触部分に流れる電流によってジュール熱が発生する。このジュール熱により、患部の切開や凝固（止血）が行なわれる。
【００２４】
プロセッサ装置１１は、ユニバーサルコード１５の通信用コネクタ１９ａと嵌合するソケット４０を備えている。ソケット４０は、プロセッサ装置１１の本体側とコネクタ側を電気的に分離するために、絶縁物（図示なし）を介して筐体４１に組み付けられる。この筐体４１は、大地（アース）に接地されている。通信用コネクタ１９ａをソケット４０に嵌合させると、ＣＣＤ３０は、タイミング／ドライバ回路４２及びＤＳＰ４３に接続される。
【００２５】
タイミング／ドライバ回路４２は、ＣＰＵ４４の指示に応じて制御信号（クロックパルス）を発生し、信号ケーブル３２を介して、これをＣＣＤ３０に入力する。この制御信号により、ＣＣＤ３０から蓄積電荷を読み出すタイミングや、ＣＣＤ３０の電子シャッタのシャッタ速度等が制御される。ＤＳＰ４３は、信号ケーブル３２を介して入力される撮像信号に対し、色分離、色補間、ゲイン補正、ホワイトバランス調整、ガンマ補正等を行い、画像データを生成する。画像データは、デジタル／アナログ変換器（Ｄ／Ａ）４５によってアナログ信号に変換され、内視鏡画像としてモニタ２０に表示される。
【００２６】
光源装置１２は、光源５０と、光源ドライバ５１と、絞り調節機構５２と、アイリスドライバ５３と、これら各部を制御するＣＰＵ５４とを備えている。光源５０は、光源ドライバ５１の制御によって点消灯し、前方に位置する集光レンズ５５に向けて照明光を照射する。光源５０としては、例えばキセノンランプ、ハロゲンランプ、ＬＥＤ（発光ダイオード）、蛍光発光素子、あるいはＬＤ（レーザーダイオード）等を用いることができる。
【００２７】
絞り調節機構５２は、光源５０と集光レンズ５５の間に配置され、ＣＣＤ３０によって撮像される内視鏡画像が略一定の明るさとなるように、照明光の光量を調節する。絞り調節機構５２は、照明光が通過する絞り開口の直径（絞り径）を変化させる絞り羽根と、この絞り羽根を駆動するモータを備えている。アイリスドライバ５３は、絞り調節機構５２の絞り羽根を開閉することにより、照明光の通過面積を変化させて、ライトガイド３４に入射する照明光の光量を調節する。
【００２８】
図３に断面を示すように、挿入部１３の可撓管部１３ａは、可撓性の螺管６０と、螺管６０の伸張を防止するネット６１と、ネット６１の上に樹脂を被着した外層６２とから構成されている。この可撓管部１３ａの内部には、複数の信号ケーブル３２と、鉗子チャンネル３５と、ライトガイド３４を構成する複数の光ファイバ６５が近接して並行に遊通されている。
【００２９】
信号ケーブル３２は、芯線３２ａの外周を絶縁層及びシールド体３２ｂで覆い、これを絶縁性の外皮３２ｃで更に覆った、いわゆる一重シールド構造の同軸ケーブルである。各信号ケーブル３２は、ＣＣＤ３０からＤＳＰ４３に撮像信号を伝送する画像用ケーブル、またはタイミング／ドライバ回路４２からＣＣＤ３０に制御信号を伝送する制御用ケーブル、あるいはプロセッサ装置１１の電源回路（図示なし）からＣＣＤ３０に電力を供給する電源用ケーブルとして機能する。
【００３０】
光ファイバ６５は、ひとまとまりに束ねられた信号ケーブル３２の周りを取り囲むようにして配置される。光ファイバ６５は、ユニバーサルコード１５のコネクタ１９側で信号ケーブル３２と合流し、信号ケーブル３２が回路基板３１に接続する直前の先端部１３ｃ内まで信号ケーブル３２を取り囲んでいる。これら光ファイバ６５の各々の表面には、導電膜６６が形成されている。導電膜６６は、例えば窒素系化合物の水溶液を塗布して形成された薄膜体で、挿入部１３のほぼ全長に渡って、光ファイバ６５の表面を覆っている。導電膜６６は、更に、グラウンド線３７（図２参照）によって通信用コネクタ１９ａに接続されている。したがって、電子内視鏡１０をプロセッサ装置１１に接続すると、導電膜６６は、通信用コネクタ１９ａ及びソケット４０を介してプロセッサ装置１１の筐体４１に接続され、大地に接地される。これにより、導電膜６６は、信号ケーブル３２をノイズから保護するシールド層として機能する。
【００３１】
患部を処置するために、鉗子チャンネル３５に電気メス３６を挿入してこれに高周波の電流を流すと、挿入部１３の内部に電気メス３６の高周波ノイズが拡散する。ところが、導電膜６６を形成した光ファイバ６５が信号ケーブル３２を囲んでいるため、拡散した高周波ノイズは、信号ケーブル３２に到達する前に導電膜６６にてシールドされ、プロセッサ装置１１の筐体４１（フレームグラウンド）を経由して接地した大地に落とされる。その結果、信号ケーブル３２を流れる電気信号に高周波ノイズが混入するのを防ぐことができ、内視鏡画像の乱れやプロセッサ装置１１の誤作動等が防止される。
【００３２】
なお、導電膜６６としては、グラファイト粉末を混合した導電性樹脂や銅等の導電塗料を用いてもよく、また、スパッタリングによって製膜してもよい。また、図３においては、煩雑化を避けるため、信号ケーブル３２や光ファイバ６５の数を制限して示したが、信号ケーブル３２や光ファイバ６５の数はこれに限定されない。
【００３３】
次に、以上のように構成された内視鏡システム２の作用について説明する。電子内視鏡１０をプロセッサ装置１１に接続すると、ＣＣＤ３０がタイミング／ドライバ回路４２及びＤＳＰ４３に接続されるとともに、光ファイバ６５の導電膜６６がプロセッサ装置１１の筐体４１に接続されて、大地に接地される。内視鏡システム２の電源を投入すると、プロセッサ装置１１及び光源装置１２が起動する。光源装置１２では、光源５０が点灯し、集光レンズ５５に向けて照明光が照射される。照明光は、集光レンズ５５によりライトガイド３４の入射端に導かれ、電子内視鏡１０の先端部１３ｃまで導光される。
【００３４】
電子内視鏡１０の挿入部１３を体腔内に挿入し、照明光で照らしながら、体腔内の画像をＣＣＤ３０で撮像する。ＣＣＤ３０から出力された撮像信号は、回路基板３１のアナログ処理回路で各種処理が施された後、信号ケーブル３２を介してプロセッサ装置１１のＤＳＰ４３に入力される。ＤＳＰ４３は、入力された撮像信号に対して各種信号処理を施し、画像データを生成する。生成された画像データは、Ｄ／Ａ４５を経て、モニタ２０に内視鏡画像として表示される。
【００３５】
内視鏡検査下で患部の処置が必要な場合には、電気メス３６が鉗子口１７から鉗子チャンネル３５に挿入される。そして、高周波の電流を印加した電気メス３６の先端を患部に接触させて、患部の切開や凝固が行なわれる。このとき、挿入部１３の内部では、電気メス３６の高周波ノイズが鉗子チャンネル３５の周囲に拡散する。拡散した高周波ノイズは、信号ケーブル３２に到達する前に、光ファイバ６５の導電膜６６にてシールドされ、プロセッサ装置１１の筐体４１（フレームグラウンド）を経由して接地した大地に落とされる。したがって、撮像信号や制御信号に高周波ノイズが混入することはなく、内視鏡画像の乱れやプロセッサ装置１１の誤作動等が引き起こされることもない。
【００３６】
また、図示では便宜上ほぼ同径であるが、光ファイバは一般に信号ケーブルに比べて十分に細いため、光ファイバ６５の表面に導電膜６６を形成しても、挿入部１３の外径寸法はほとんど変わらない。したがって、挿入部１３の外径が太くなって、体腔内に挿入する際に被検者の負担が大きくなるという不都合は生じない。更に、導電膜６６を形成した光ファイバ６５が信号ケーブル３２を囲んでいるため、電気メス３６等の処置具が発生する高周波ノイズの信号ケーブル３２への侵入防止だけでなく、プロセッサ装置１１が発生するノイズが信号ケーブル３２を経由して外部に電界放射することも防止できる。
【００３７】
なお、上記実施形態では、光ファイバ６５で信号ケーブル３２を囲んでいるが、図４に示すように、光ファイバ６５で鉗子チャンネル３５の周りを取り囲んでもよい。この実施形態によれば、処置具が発生する高周波ノイズが鉗子チャンネル３５の外に放射することを防止できる。したがって、信号ケーブル３２だけでなく、プロセッサ装置１１や光源装置１２等の電子機器もノイズから保護することができる。
【００３８】
あるいは、図５に示すように、鉗子チャンネル３５と信号ケーブル３２の間に、光ファイバ６５を壁状に配置してもよい。この実施形態によれば、上記各実施形態に比べて光ファイバ６５の配置が大まかでよいため、電子内視鏡１０の製造が容易となる。
【００３９】
また、上記実施形態では、導電膜６６をプロセッサ装置１１の筐体４１に直流接続しているが、図６に示すように、グラウンド線７０の途中にコンデンサＣを配置してもよい。この場合には、コンデンサＣとして、電気メス３６が発生するノイズ周波数で低インピーダンスとなる高周波特性のコンデンサを用いる。コンデンサＣを設けることにより、電気信号に大きく影響する高い周波数のノイズの交流成分を適切にグラウンド端子に落としながら、商用電源などの比較的低い周波数の交流成分や直流成分を遮断することができる。したがって、機器の故障などにより商用電源などの比較的低い周波数の交流成分や機器内の直流成分が仮に漏電しても被検者が感電するというトラブルを防止することができ、ノイズ対策と安全対策を同時に得ることが可能となる。
【００４０】
更に、図７に示すように、ＣＣＤ３０を接地し、このＣＣＤ３０の信号グラウンドと導電膜６６とをグラウンド線７５で接続してもよい。導電膜６６に流れ込んだ高周波ノイズは、ＣＣＤ３０の信号グラウンドに落ちるので、上記各実施形態と同様に、信号ケーブル３２をノイズから保護することができる。また、図８に示すように、グラウンド線８０の途中に、コンデンサＣを設けてもよい。この場合には、図７の場合と同様にしてグラウンド線８０で導電膜６６とＣＣＤ３０の信号グラウンドを接続した上で、図６の場合と同様にしてグラウンド線８０の途中にコンデンサＣを配置する。
【００４１】
なお、上記各実施形態においては、光ファイバ６５の全部ではなく、一部だけを使って信号ケーブル３２と鉗子チャンネル３５を隔ててもよい。また、光ファイバ６５の本数が十分に多い場合は、図３ないし図５に示す配置を組み合わせて、信号ケーブル３２の周囲と、鉗子チャンネル３５の周囲と、信号ケーブル３２と鉗子チャンネル３５の間のそれぞれに光ファイバ６５を配置してもよい。
【００４２】
上記各実施形態では、信号ケーブル３２を一重シールド構造とする例を示したが、導電膜６６で十分なシールド効果が得られる場合は、信号ケーブルにシールド体を設ける必要はない。
【００４３】
また、上記実施形態では、導電膜６６をプロセッサ装置１１の筐体４１に接続して大地に接地する例を示したが、導電膜６６を光源装置１２の筐体に接続して接地させてもよい。
【００４４】
上記実施形態では、プロセッサ装置１１と光源装置１２を別体としているが、これらを一体としてよい。また、上記実施形態では、生体観測用の電子内視鏡を例示して説明したが、本発明は、工業用の電子内視鏡にも適用することができる。
【図面の簡単な説明】
【００４５】
【図１】内視鏡システムの外観図である。
【図２】内視鏡システムの電気的構成を示すブロック図である。
【図３】光ファイバの配置を示す可撓管部の断面図である。
【図４】光ファイバの別の配置を示す可撓管部の断面図である。
【図５】光ファイバの更に別の配置を示す可撓管部の断面図である。
【図６】第１の変形例を適用した内視鏡システムの電気的構成を示すブロック図である。
【図７】第２の変形例を適用した内視鏡システムの電気的構成を示すブロック図である。
【図８】第３の変形例を適用した内視鏡システムの電気的構成を示すブロック図である。
【符号の説明】
【００４６】
２  内視鏡システム
１０  電子内視鏡
１１  プロセッサ装置
１２  光源装置
１３  挿入部
３２  信号ケーブル
３４  ライトガイド
３５  鉗子チャンネル
６５  光ファイバ
６６  導電膜
３７、７０、７５、８０  グラウンド線
Ｃ  コンデンサ
【図１】
2010063529.tif 000003
【図２】
2010063529.tif 000004
【図３】
2010063529.tif 000005
【図４】
2010063529.tif 000006
【図５】
2010063529.tif 000007
【図６】
2010063529.tif 000008
【図７】
2010063529.tif 000009
【図８】
2010063529.tif 000010